(57)【要約】      （修正有）【課題】適切な押出設定を採用することで、例えば音の発生やエネルギーロスを抑える。【解決手段】紙葉類処理装置１００は、紙葉類を受け入れる受入部１１と、受入部１１で受け入れられた紙葉類を搬送する搬送部７０と、外部に開口した開口部を有するとともに、搬送部７０で搬送された紙葉類を集積する複数の集積部６０と、集積部６０で集積された紙葉類を前記開口部に向かって押し出す押出部と、少なくとも２つ以上の集積部６０の各々に対して設定された押出設定に基づいて、押出部を制御する装置制御部と、を備える。【選択図】図２
2018020853.tif 000002
【特許請求の範囲】
【請求項１】
紙葉類を受け入れる受入部と、
前記受入部で受け入れられた紙葉類を搬送する搬送部と、
外部に開口した開口部を有するとともに、前記搬送部で搬送された紙葉類を集積する複数の集積部と、
前記集積部で集積された紙葉類を前記開口部に向かって押し出す押出部と、
少なくとも２つ以上の前記集積部の各々に対して設定された押出設定に基づいて、前記押出部を制御する制御部と、
を備えたことを特徴とする紙葉類処理装置。
【請求項２】
前記押出設定は、前記押出部による押出動作を許可又は禁止する設定を含むことを特徴とする請求項１に記載の紙葉類処理装置。
【請求項３】
前記押出設定は、前記押出部の押出量に関する設定を含むことを特徴とする請求項１又は２のいずれかに記載の紙葉類処理装置。
【請求項４】
前記押出設定は、前記集積部に集積される紙葉類の種類に基づいて設定されることを特徴とする請求項１乃至３のいずれか１項に記載の紙葉類処理装置。
【請求項５】
前記押出設定は、前記集積部に集積される紙葉類として設定された紙葉類の種類に基づいて設定されることを特徴とする請求項１乃至３のいずれか１項に記載の紙葉類処理装置。
【請求項６】
前記押出設定は、前記集積部の位置に基づいて設定されることを特徴とする請求項１乃至５のいずれか１項に記載の紙葉類処理装置。
【請求項７】
前記押出設定は、予め登録された複数のパターンから選択されることで設定されることを特徴とする請求項１乃至６のいずれか１項に記載の紙葉類処理装置。
【請求項８】
同じ内容の押出設定が、少なくとも２つ以上の集積部に対して一括して設定されることを特徴とする請求項１乃至７のいずれか１項に記載の紙葉類処理装置。
【請求項９】
前記押出設定を行うための操作部をさらに備えたことを特徴とする請求項１乃至３及び５乃至８のいずれか１項に記載の紙葉類処理装置。
【請求項１０】
前記集積部に集積された紙葉類の有無を検知する検知部をさらに備え、
前記制御部は、前記押出部が押し出し途中に前記集積部内の紙葉類がなくなったことを前記検知部が検知した場合に、前記押出部の押し出し動作を中断することを特徴とする請求項１乃至９のいずれか１項に記載の紙葉類処理装置。
【請求項１１】
前記押出設定が、前記押出部による押出動作を許可又は禁止する設定を含み、
前記制御部は、押出動作が禁止された前記集積部の紙葉類の集積枚数が所定枚数に達した場合に、関連する情報を出力することを特徴とする請求項１乃至１０のいずれか1項に記載の紙葉類処理装置。
【発明の詳細な説明】
【技術分野】
【０００１】
本発明は、紙葉類を処理する紙葉類処理装置に関する。
【背景技術】
【０００２】
従来から、紙幣等の紙葉類を分類して開口部を有する集積部に集積する紙葉類処理装置が知られている（例えば特許文献１参照）。この特許文献１に開示された紙葉類処理装置は、集積部の収容スペースに収容された紙葉類を開口部に向かって押し出すための押出部を備えている。このため、搬送部から集積部に送られる紙葉類が当該集積部の後面側（奥側）に集積された場合であっても、押出部によって当該紙葉類を当該集積部の開口部に向かって押出すことにより、この紙葉類を取り出しやすくすることができる。
【０００３】
従来では、予め設定された集積枚数の紙葉類が集積部に送られた場合や、全ての紙葉類の処理が終了した場合等、集積部から紙葉類を取り出す必要が生じた場合には、常に押出部の押出部材を一定の押出量で動作させていた。
【先行技術文献】
【特許文献】
【０００４】
【特許文献１】国際公開公報２００９／０２８０７２号
【発明の概要】
【発明が解決しようとする課題】
【０００５】
しかしながら、例えば同一金種の紙幣が大半を占める場合や、予め設定された集積枚数が少ない場合には、比較的短い時間で紙葉類を取り出す必要が生じることから、押出部を頻繁に動作させることになる。他方、このように比較的短い時間で紙葉類を取り出す場合には、操作者が当該紙葉類の集積された集積部の近くにいることが多く、押出部材によって紙葉類を押し出す必要性がそれほど高くない。また、このように押出部材によって紙葉類を押し出す場合には、音が出たり電気等のエネルギーが消費されたりする。
【０００６】
本発明は、このような点を鑑みてなされたものであり、適切な押出設定を採用することで、例えば音の発生やエネルギーロスを抑えることができる紙葉類処理装置を提供する。
【課題を解決するための手段】
【０００７】
本実施の形態による紙葉類処理装置は、
紙葉類を受け入れる受入部と、
前記受入部で受け入れられた紙葉類を搬送する搬送部と、
外部に開口した開口部を有するとともに、前記搬送部で搬送された紙葉類を集積する複数の集積部と、
前記集積部で集積された紙葉類を前記開口部に向かって押し出す押出部と、
少なくとも２つ以上の前記集積部の各々に対して設定された押出設定に基づいて、前記押出部を制御する制御部と、
を備える。
【０００８】
本実施の形態による紙葉類処理装置において、
前記押出設定は、前記押出部による押出動作を許可又は禁止する設定を含んでもよい。
【０００９】
本実施の形態による紙葉類処理装置において、
前記押出設定は、前記押出部の押出量に関する設定を含んでもよい。
【００１０】
本実施の形態による紙葉類処理装置において、
前記押出設定は、前記集積部に集積される紙葉類の種類に基づいて設定されてもよい。
【００１１】
本実施の形態による紙葉類処理装置において、
前記押出設定は、前記集積部に集積される紙葉類として設定された紙葉類の種類に基づいて設定されてもよい。
【００１２】
本実施の形態による紙葉類処理装置において、
前記押出設定は、前記集積部の位置に基づいて設定されてもよい。
【００１３】
本実施の形態による紙葉類処理装置において、
前記押出設定は、予め登録された複数のパターンから選択されることで設定されてもよい。
【００１４】
本実施の形態による紙葉類処理装置において、
同じ内容の押出設定が、少なくとも２つ以上の集積部に対して一括して設定されてもよい。
【００１５】
本実施の形態による紙葉類処理装置は、
前記押出設定を行うための操作部をさらに備えてもよい。
【００１６】
本実施の形態による紙葉類処理装置は、
前記集積部に集積された紙葉類の有無を検知する検知部をさらに備え、
前記制御部は、前記押出部が押し出し途中に前記集積部内の紙葉類がなくなったことを前記検知部が検知した場合に、前記押出部の押し出し動作を中断してもよい。
【００１７】
本実施の形態による紙葉類処理装置において、
前記押出設定が、前記押出部による押出動作を許可又は禁止する設定を含み、
前記制御部は、押出動作が禁止された前記集積部の紙葉類の集積枚数が所定枚数に達した場合に、関連する情報を出力してもよい。
【発明の効果】
【００１８】
本発明によれば、少なくとも２つ以上の集積部の各々に対して設定された押出設定に基づいて、押出部が制御される。このため、適切な押出設定を採用することができ、例えば音の発生やエネルギーロスを抑えることができる。
【図面の簡単な説明】
【００１９】
【図１】図１は、本発明の第１の実施の形態による紙葉類処理装置の外観を示す斜視図である。
【図２】図２は、本発明の第１の実施の形態による紙葉類処理装置の内部構成を示す概略縦断面図である。
【図３】図３は、本発明の第１の実施の形態による紙葉類処理装置で用いられる集積部の内部構造を示した斜視図であって、押出部が退避位置にある状態を示した斜視図である。
【図４】図４は、本発明の第１の実施の形態による紙葉類処理装置で用いられる集積部の内部構造を示した斜視図であって、押出部が押出位置にある状態を示した斜視図である。
【図５】図５（ａ）−（ｃ）は、本発明の第１の実施の形態による紙葉類処理装置で用いられる集積部の側方断面図であって、当該集積部で紙葉類が集積される態様の一例を説明するための側方断面図である。
【図６】図６（ａ）は、本発明の第１の実施の形態で利用されうる、各集積部に対する押出設定の一例を示したものであり、図６（ｂ）は、本発明の第１の実施の形態で利用されうる、金種に対応して記憶された押出設定の一例を示したものである。
【図７】図７は、本発明の第１の実施の形態で利用されうる、各集積部に対する押出設定の４つのパターンを示したものである。
【図８】図８（ａ）−（ｄ）は、本発明の第１の実施の形態で、各集積部に対して押出設定を入力する際の手順の一例を示したものである。
【図９】図９は、本発明の第１の実施の形態の変形例による紙葉類処理装置の外観を示す斜視図である。
【図１０】図１０は、本発明の第１の実施の形態による紙葉類処理装置の制御ブロック図である。
【図１１】図１１は、本発明の第２の実施の形態による紙葉類処理装置の内部構成を示す概略縦断面図である。
【図１２】図１２は、本発明の第２の実施の形態で記番号をチェックする態様を説明するための図である。
【発明を実施するための形態】
【００２０】
第１の実施の形態
《構成》
以下、本発明に係る紙葉類処理装置、紙葉類処理システム及び紙葉類処理方法の実施の形態について、図面を参照して説明する。ここで、図１乃至図１０は本発明の実施の形態を説明するための図である。なお、本願における「紙葉類」とは、紙幣、小切手、商品券、帳票等のことを意味するが、代表的なものとしては紙幣を意味する。
【００２１】
図１及び図２に示すように、本実施の形態の紙葉類処理装置１００は、筐体１と、筐体１に設けられて複数の紙葉類を受け入れる受入部１１と、受入部１１で受け入れられた紙葉類を１枚ずつ筐体１内に取り込む取込部１０と、を備えている。図２に示すように、本実施の形態の紙葉類処理装置１００は、取込部１０から筐体１内に取り込まれた紙葉類を一枚ずつ搬送する搬送部７０と、搬送部７０で搬送されている紙葉類を識別して計数する識別部５５と、後述する集積部６０（６０ａ−６０ｈ）に集積されない紙葉類をリジェクトする複数のリジェクト部６５（６５ａ，６５ｂ）と、を備えている。なお、本実施の形態の識別部５５が紙幣を識別する際には、例えば、紙幣の金種、正損、表裏、刷種（新旧等）、方向、真偽、紙幣の記番号等を識別する。なお、識別部５５は、搬送路を案内されている紙葉類の画像を読み取る画像読取センサ３４を有しており、この画像読取センサ３４によって読み取られた画像データに基づいて、例えば、紙幣の金種、正損、表裏、刷種、方向、真偽、紙幣の記番号等を識別する。
【００２２】
本実施の形態では、外部に開放した受入部１１を用いて説明するが、これに限られることはなく、（図１１は本発明の第２の実施の形態を説明するための図であるが）例えば図１１に示すようなカセット２００が紙葉類を受け入れる受入部となってもよい。この場合には、一例として、カセット２００に設けられた紙葉類操出部２１０が、カセット２００に受け入れられた紙葉類を１枚ずつ筐体１内に取り込む取込部となる。
【００２３】
上述した取込部１０は、図２に示すように、紙葉類を繰り出すフィードローラ１０ａと、フィードローラ１０ａに対向して設けられたゲートローラ（逆転ローラ）１０ｂと、受入部１１に収容された紙葉類をフィードローラ１０ａに向かって蹴り出すキッカローラ１０ｃ，１０ｄと、を有している。また、搬送部７０は、紙葉類を案内する搬送路と、この紙葉類に駆動力を付与する搬送ローラ及び／又は搬送ベルトと、搬送ローラ及び／又は搬送ベルトを駆動する駆動部７１（図１０参照）とを有している。
【００２４】
紙葉類の正損の内容は、紙葉類入出金装置又は紙葉類出金装置等の外部紙葉類処理装置で用いられるのに適した第一分類と、外部紙葉類処理装置以外で用いられるのに適した第二分類と、利用されることに適さない第三分類とを含むものとなっていてもよい。紙葉類が紙幣である場合には、紙幣の正損は、例えば、銀行等の金融機関に設けられたＡＴＭ等の紙幣入出金装置又は紙幣出金装置（外部紙葉類処理装置の一種）で利用できず、銀行等の金融機関の受付でも利用できない紙幣（いわゆる「UNFIT」紙幣：上記の第三分類に相当する。）と、紙幣入出金装置又は紙幣出金装置では利用できないが、銀行等の金融機関の受付では利用できる紙幣（いわゆる「Teller-FIT」紙幣：上記の第二分類に相当する。）、紙幣入出金装置又は紙幣出金装置でも銀行等の金融機関の受付でも利用できる紙幣（いわゆる「ATM-FIT」紙幣：上記の第一分類に相当する）の３つに分類することができてもよい。
【００２５】
図１及び図２に示すように、リジェクト部６５は、下方側に配置された第一リジェクト部６５ａと、上方側に配置された第二リジェクト部６５ｂとを有している。例えば、第一リジェクト部６５ａには、識別異常や搬送異常であると判断された紙葉類が集積され、第二リジェクト部６５ｂには、識別部５５の真偽判定によって偽券である判断された紙葉類が集積されてもよい。搬送異常とは、搬送部７０によって紙葉類を搬送する際の異常を意味している。このような搬送異常としては、例えば、紙葉類が斜めに搬送されている場合（斜行）や、複数の紙葉類が重なって搬送されている場合（重送）や、複数の紙葉類が所定の間隔を隔てないで搬送されている場合（連鎖）等を挙げることができる。他方、識別異常とは、識別部５５によって識別された情報が装置記憶部５６（図１０参照）に予め記憶された識別用情報と一致しない場合等を挙げることができる。
【００２６】
図２に示すように、搬送部７０の搬送路には、紙葉類をリジェクト部６５へと案内するための分岐部材４６（４６ａ，４６ｂ）が設けられている。また、分岐部材４６ａと第一リジェクト部６５ａとの間には、分岐部材４６ａによって案内された紙葉類が正常に第一リジェクト部６５ａへと案内されているかを検知するセンサ３５ａが設けられている。同様に、分岐部材４６ｂと第二リジェクト部６５ｂとの間には、分岐部材４６ｂによって案内された紙葉類が正常に第二リジェクト部６５ｂへと案内されているかを検知するセンサ３５ｂが設けられている。
【００２７】
図２に示すように、集積部６０ａ−６０ｄの上部には、第一集積部ユニット１１０内の搬送部７０を覆うようにして第一カバー４９ａが設けられている。同様に、集積部６０ｅ−６０ｈの上部には、第二集積部ユニット１２０内の搬送部７０を覆うようにして第二カバー４９ｂが設けられている。
【００２８】
また、図２に示すように、本実施の形態の紙葉類処理装置１００は、識別部５５で識別された紙葉類を集積する複数（図１及び図２に示す態様では８個）の集積部６０（６０ａ−６０ｈ）を備えている。図１に示すように、この集積部６０は、前面で開口した開口部を有しており、操作者は当該開口部を介して集積部６０内の紙葉類を自由に取り出すことができる。なお、図１及び図２では一例として８個の集積部６０が設けられている態様を用いて説明するが、集積部６０の個数は８個未満であってもよいし８個よりも多くてもよい。一例としては、集積部６０が１２個設けられているものを用いることもできるし、図９に示すように集積部６０が１６個設けられているものを用いることができる。集積部６０内には、搬送部７０で搬送された紙葉類を受け入れて集積部６０内に集積させるための羽根車６１（６１ａ−６１ｈ）が設けられている。また、リジェクト部６５には、搬送部７０で搬送された紙葉類を受け入れてリジェクト部６５に集積させるための羽根車６６（６６ａ，６６ｂ）が設けられている。
【００２９】
また、集積部６０には、集積部６０に集積された紙葉類を開口部に向かって（すなわち前面側に）押し出すための押出部８３（図３及び図４参照）が設けられている。この押出部８３は、予め定まった枚数の紙葉類が集積部６０に集積された後で、当該集積部６０に集積された紙葉類を当該集積部６０の前面側の開口部に向かって押し出すようになっている。このため、本実施の形態によれば、操作者は、確実に予め定まった枚数だけ紙葉類を集積部６０に集積させ、その後で、当該紙葉類を集積部６０から容易に取り出すことができる。なお、押出部８３は、受入部１１に載置された紙葉類の全てが集積部６０及び／又はリジェクト部６５に振り分けられた後や、後述する操作表示部５９やボタン式操作部５８からの入力を受けて、集積部６０に集積された紙葉類を開口部に向かって押し出してもよい。ちなみに、押出部８３によって集積された紙葉類が押し出される際には、一般には、集積された紙葉類がずれることなく一体となって押し出されることになる。
【００３０】
図３及び図４に示すように、集積部６０の底面には切り欠き部分６２ｇが形成されている。この切り欠き部分６２ｇに指等をいれることで、押出部８３により開口部に向かって押し出された紙葉類を、操作者は容易に取り出すことができる。
【００３１】
図３及び図４に示すように、押出部８３は、集積部６０に収容された紙葉類を開口部に向かって押し出すための押出部材８４と、この押出部材８４を開口部に向かって駆動する押出部材駆動機構８５とを有している。
【００３２】
押出部材８４は、押出部材駆動機構８５により駆動されることによって、各集積部６０の前後方向に往復移動するようになっている。具体的には、押出部材８４は、各集積部６０に紙葉類が集積される際にこの紙葉類から退避したような退避位置（図３参照）と、この退避位置よりも各集積部６０の開口部に接近した位置である押出位置（図４参照）との間で往復移動するようになっている。そして、押出部材８４は集積部６０に紙葉類が収容された後で押出位置に移動し、その結果、集積部６０に収容された紙葉類が開口部に向かって押し出される。その後、押出部材８４は押出位置（図４参照）から退避位置（図３参照）まで戻る。
【００３３】
図３及び図４に示すように、押出部材８４は、約１２０°で「へ」の字形状に折れ曲がった板状の部材からなる前段部分８４ａと、当該前段部分８４ａに固定された後段部分８４ｂと、を有している。後段部分８４ｂには、各集積部６０に収容された紙葉類に接触してこの紙葉類を開口部に向かって押し出す押出面８４ｃが設けられている。前段部分８４ａは、図３に示すような退避位置にあるときにおいて集積部６０の底面及び側面の一部を構成するようになっている（図５（ａ）（ｃ）参照）。他方、前段部分８４ａが押出位置に移動したときには、図４に示すように、前段部分８４ａは底板６２ａ及び側壁６２ｂの裏側にもぐるようになっている（図５（ｂ）参照）。
【００３４】
後段部分８４ｂが図３に示す退避位置にあるときには、当該後段部分８４ｂに設けられた押出面８４ｃが各集積部６０の後面６２ｃの一部を構成するようになっている。他方、この後段部分８４ｂが押出位置に移動したときには図４に示すように各集積部６０内に進出するようになっている。
【００３５】
押出部材駆動機構８５は例えばモータ等の駆動部８５ａを有し、この駆動部８５ａが第一の軸を中心として略長方形形状の第一のカム８６を回転させるようになっている。この第一のカム８６には突起部が形成されている。また、第一のカム８６と押出部材８４の前段部分８４ａとを接続する略棒形状の第二のカム８７が設けられており、この第二のカム８７はその中央部分に設けられた第二の軸を中心として回転するようになっている。第二のカム８７の一端は前段部分８４ａの裏面に回転自在に取り付けられており、第二のカム８７の他端には当該第二のカム８７に沿って延びる細長い貫通孔８７ｂが形成されている。この貫通孔８７ｂ内には上述した突起部が嵌め込まれており、第一のカム８６が第一の軸を中心として回転すると、この第一のカム８６の突起部が細長い貫通孔８７ｂ内を移動するとともに、第二のカム８７が第二の軸を中心として揺動するようになっている。また、押出部材８４の前段部分８４ａ及び後段部分８４ｂを一定の方向（図５（ａ）−（ｃ）の左右方向）に案内する案内レールが各集積部６０に設置されている。
【００３６】
図１に示すように、筐体１の前面側には、例えばタッチパネル等からなり所定の情報を表示するとともに、各集積部６０に対する押出設定を含む所定の情報を入力することができる操作表示部５９が設けられている。この操作表示部５９は、操作部及び表示部の両方の役割を果たしているが、このような態様に限られることはない。つまり、操作部と表示部とが別体となっていてもよい。また、本実施の形態では、筐体１の前面側には、操作表示部５９に隣接してボタン式操作部５８も設けられている。本実施の形態の操作表示部５９及びボタン式操作部５８は、特許請求の範囲に記載された「操作部」に含まれている。なお、ボタン式操作部５８は、押出部８３による押出動作を許可又は禁止するためのスイッチや、押出部８３の押出量を設定するための入力部を有していてもよい。
【００３７】
図２に示すように、搬送部７０には、搬送部７０を通過する紙葉類を検知したり、紙葉類の有無を検知したりするための複数のセンサ３３が設けられている。なお、受入部１１に設けられたセンサ３３は、受入部１１内に紙葉類があるか否かを判断するために用いられる。また、分岐部材４６ｂと集積部６０ａとの間に設けられたセンサ３３は、リジェクト部６５に案内されなかった紙葉類が、集積部６０に向かって正常に案内されているかを検知するために用いられる。
【００３８】
図２に示すように、搬送路には、紙葉類が正常に搬送されているかを検知するセンサ３１（３１ａ−３１ｇ）や、紙葉類の案内される集積部６０を切り換える分岐部材４１（４１ａ−４１ｇ）が設けられている。また、これら分岐部材４１ａ−４１ｇの下流側には、分岐部材４１ａ−４１ｇによって分岐された紙葉類が正常に集積部６０に案内されているかを検知するカウントセンサ３２（３２ａ−３２ｇ）が設けられている。
【００３９】
また、図１に示すように、筐体１には、集積部６０の各々に対応して、各集積部６０に集積されている紙葉類の種類（つまり、後述する「分類用種別」の内容）や枚数を表示するための個別表示部５１ａ−５１ｈが設けられている。この個別表示部５１ａ−５１ｈは、ＬＣＤ等のディスプレイでもよいし、印刷された文字と発光素子との組み合わせでもよい。なお、個別表示部５１ａ−５１ｈに表示される紙葉類の種類は、例えば、通貨の種類、紙幣の金種、紙幣の刷種、紙葉類の正損、紙葉類の表裏、紙葉類の方向等である。紙葉類の方向は、表前、表後、裏前及び裏後の４方向ある。
【００４０】
また、図２に示すように、集積部６０内には、それぞれ、集積部６０内の紙葉類の収納状況を検知する残留検知センサ３６（３６ａ−３６ｈ）が設けられている。この残留検知センサ３６は、各集積部６０に集積された紙葉類の有無を検知するために用いられ、特許請求の範囲に記載された「検知部」に含まれている。
【００４１】
本実施の形態の集積部６０では、識別部５５で識別された分類用種別の内容に基づいて紙葉類を集積できるようになっている。ここで、分類用種別とは、紙葉類を分類する際に用いられる種別であり、例えば、通貨の種類、紙幣の金種、紙幣の刷種、紙葉類の正損、紙葉類の表裏、紙葉類の方向等である。なお、紙葉類処理装置１００を管理する管理装置等の外部装置５００（図１０参照）に設けられた外部表示部５４０等には、各集積部６０に集積されている又は集積される予定の紙葉類の分類用種別の内容が表示されてもよい。また、図１に示す個別表示部５１ａ−５１ｈが、各集積部６０に集積されている又は集積される予定の紙葉類の分類用種別の内容を表示してもよい。ちなみに、本実施の形態において外部装置５００とは、対象となっている装置以外の装置のことを意味し、例えば紙葉類処理装置１００から見た場合には紙葉類処理装置１００以外のあらゆる装置が外部装置５００に該当する。
【００４２】
ところで、外部装置５００は、図１０に示すように、一つの紙葉類処理装置１００に対して一つだけ設けられてもよいが、複数の紙葉類処理装置１００が設けられた態様において、複数の紙葉類処理装置１００に対して一つの外部装置５００が設けられていてもよい。
【００４３】
図１０に示すように、本実施の形態の紙葉類処理装置１００は、紙葉類処理装置１００を制御する装置制御部５０を備えている。この装置制御部５０は、少なくとも２つ以上の各集積部６０の各々に対して設定された押出設定に基づいて、押出部８３を制御する。もちろん全ての各集積部６０の各々に対して押出設定が設定されてもよい。本実施の形態では、以下、一例として、全ての各集積部６０の各々に対して押出設定が設定される態様を用いて説明する。なお、装置制御部５０は特許請求の範囲に記載された「制御部」に含まれている。本実施の形態では、装置制御部５０を用いて以下の説明を行うが、これに限られることはなく、装置制御部５０の果たす役割を外部装置５００の外部制御部５５０が果たしてもよい。この場合には、外部制御部５５０も特許請求の範囲に記載された「制御部」に含まれることになる。
【００４４】
設定される押出設定は、押出部８３による押出動作を許可又は禁止する設定であってもよい。また、設定される押出設定は、押出部８３の押出量に関する設定であってもよい。なお、複数の集積部６０のいずれかの集積部６０では押出部８３による押出動作を許可又は禁止が設定され（この場合には押出量は設定されず、規定の押出量だけ紙葉類が押出部８３で押し出されることになる。）、別の集積部６０では押出部８３の押出量が設定されてもよい。また、複数の集積部６０のいずれかの集積部６０では押出部８３による押出動作を許可又は禁止が設定され、押出動作が許可された押出部８３に関して、押出部８３の押出量が設定されてもよい。
【００４５】
ちなみに、装置制御部５０は各集積部６０に設けられた押出部８３の押出設定を個別に設定できるようになっていてもよい。この場合には、操作者は、集積部６０ａ−６０ｈに設けられた押出部８３の各々又は集積部６０の各々に対して押出設定を設定すればよい。
【００４６】
なお、押出設定は、集積部６０に集積される紙葉類の種類に基づいて設定されてもよいし、集積部６０に集積される紙葉類として設定された紙葉類の種類に基づいて設定されてもよい。
【００４７】
集積部６０に集積される紙葉類の種類に基づいて押出設定が設定される場合には、一例として、識別部５５が搬送部７０で搬送される紙葉類の種類を検知し、装置制御部５０が、識別部５５で検知された紙葉類の種類に基づいて、押出設定を設定する態様を採用することができる。このような態様は、後述の自動決定モードや動的決定モードのように、識別部５５の識別結果に基づいて集積部６０に収容される紙葉類を割り当てる態様で有効である。より具体的には、紙葉類処理装置１００の装置記憶部５６は、識別部５５で検知された紙葉類の種類のうち押出部８３の押出量を設定する際に用いられる紙葉類の種類、つまり、通貨の種類、紙幣の金種、紙幣の刷種や、小切手、商品券及び帳票の種類等と、押出設定とを関連付けて記憶している。そして、識別部５５によって搬送部７０で搬送される紙葉類の種類が識別されると、当該紙葉類の種類に関連付けられた押出設定が読み出される。またこの際、当該紙葉類が集積される集積部６０も決定される。そして、装置記憶部５６から読み出された押出設定と、対象となっている紙葉類が集積される集積部６０の情報とに基づいて、押出設定が設定される。
【００４８】
他方、集積部６０に集積される紙葉類として設定された紙葉類の種類に基づいて押出設定が設定される場合には、まず、集積部６０に集積される紙葉類の種類が設定され、このようにして設定された紙葉類の種類に基づいて押出設定が設定されることになる。
【００４９】
本実施の形態では、本実施の形態では、主に装置記憶部５６を用いて説明を行うが、これに限られることはなく、装置制御部５０の果たす役割を外部装置５００の外部記憶部５６０（図１０参照）が果たしてもよい。
【００５０】
ところで、集積される通貨の種類、貨幣の金種、貨幣の刷種、紙葉類の正損、紙葉類の表裏及び紙葉類の方向等の各々について、各集積部６０に対して、指定モード、自動決定モード、動的決定モード、混合モード及び指定外モードのいずれかを設定することができるようになっていてもよい。
【００５１】
ここで、指定モードは、集積部６０に収容される紙葉類の分類用種別の内容を予め指定するモードである。自動決定モードは、１取引分の紙葉類の処理において、識別部５５が指定した順番で（例えば１番目、２番目等に）識別した分類用種別の内容を、対応する集積部６０に収容する紙葉類の内容とするものである。動的決定モードは、貨幣を処理している間に、識別部５５の識別結果に基づいて集積部６０に収容される紙葉類を割り当てるモードであるが、自動決定モードと異なり、何番目の紙葉類であっても割り当て可能となっている。例えば識別した分類用種別が、どの集積部６０にも割り当てられておらず、割当てが決定していない集積部６０のうち、動的決定モードが設定されている集積部６０がある場合、その集積部６０に、識別した紙葉類の内容が割り当てられる。混合モードは、分類用種別の内容を問わず紙葉類を集積するモードである。指定外モードは、他の集積部６０に収容されない紙葉類を集積するモードである。
【００５２】
そして、通貨の種類、紙幣の金種、紙幣の刷種、紙葉類の正損、紙葉類の表裏及び紙葉類の方向の各々に対して設定された、指定モード、自動決定モード、動的決定モード、混合モード及び指定外モードに基づいて、集積部６０に集積される紙葉類の分類用種別が決定され、この紙葉類の分類用種別に基づいて押出部８３の押出設定が設定されてもよい。なお、図６（ｂ）では、金種に対応して記憶された押出設定が示されている。そして、２０ドルに対しては押出動作が禁止されており、１０ドル、５０ドル及び１００ドルに対しては押出動作が許可されている。そして、１００ドルに対しては押出部材８４の押出量が１０ｍｍとなっており、５０ドルに対しては押出部材８４の押出量が２０ｍｍとなっており、１０ドルに対しては押出量が３０ｍｍとなっている。なお、他の金種の紙幣（１ドル紙幣、２ドル紙幣及び５ドル紙幣）に対して押出設定が設定されてもよいが、図６（ｂ）では示していない。
【００５３】
なお、集積部６０で集積される紙葉類の種類は、例えば操作表示部５９や外部操作部５３０（図１０参照）から入力することができる。すなわち、本実施の形態の操作表示部５９や外部操作部５３０から、通貨の種類、紙幣の金種、紙幣の刷種、紙葉類の正損、紙葉類の表裏及び紙葉類の方向の各々に対して、指定モード、自動決定モード、動的決定モード、混合モード及び指定外モードを設定することができ、その結果、集積部６０で集積される紙葉類の種類が決定されることとなる。
【００５４】
押出設定に関しては、様々な態様が考えられるが、例えば流通量が多い紙葉類（代表的には紙幣）に関しては集積部６０で集積されるものとして設定された所定枚数（例えば１００枚）に比較的短時間で達する。このため、押出部８３による押し出し動作が、却って作業効率を低下させる場合がある。また、操作者が当該集積部６０の近辺にいる可能性が高い。したがって、流通量が多い紙葉類に対しては、押出部８３による押し出しが禁止されるようにしてもよい。他方、流通量が少ない紙葉類に対しては、集積部６０で集積されるものとして設定された所定枚数に比較的時間がかかることから、操作者が当該集積部６０の近辺にいない可能性が高い。したがって、流通量が少ない紙葉類に対しては、押出部８３による押し出しが許可されるようにしてもよい。なお、流通量が多いか否かに関しては、予め設定されていてもよい。そして、流通量が多い紙葉類が搬送されることになった集積部６０に対しては押出部８３による押し出しが自動で禁止され、他方、流通量が少ない紙葉類が搬送されることになった集積部６０に対しては押出部８３による押し出しが自動で許可されてもよい。なお、図６（ｂ）では、金種に対応して記憶された押出設定が示されている。そして、流通量が多い２０ドルに対しては押出動作が禁止されており、流通量が少ない１０ドル、５０ドル及び１００ドルに対しては押出動作が許可されている。ちなみに、本実施の形態の紙葉類処理装置１００は、例えば、一分あたりに７００枚〜７５０枚の紙葉類を処理することができ、所定枚数が１００枚である場合には最短で８〜８．５秒で押出部８３による押出動作が行われることになる。
【００５５】
本実施の形態では、紙葉類の長手方向が前後方向（図２の紙面の法線方向）に沿うようにして、紙葉類が搬送されて集積部６０に集積されることになる。このため、押出部８３による押し出しが許可されたことを前提として、長手方向の長さの短い紙葉類に関しては比較的大きな押出量が設定され、長手方向の長さの短い紙葉類に関しては比較的小さな押出量が設定されてもよい。なお、紙葉類の長手方向の長さが予め紙葉類の種類と関連づけて装置記憶部５６に記憶されていてもよい。この場合には、長手方向の長さが長い紙葉類が搬送されることになった集積部６０に対しては押出部８３による押出量として相対的に小さな値が設定され、他方、長手方向の長さが短い紙葉類が搬送されることになった集積部６０に対しては押出部８３による押出量として相対的に大きな値が設定されてもよい。また、装置記憶部５６に記憶された紙葉類の長手方向の長さから計算して、押し出しが許可された集積部６０で集積された紙葉類の前面側の端部の位置が概ね揃うようにして押出量が自動で設定されてもよい。
【００５６】
また、装置制御部５０は、押出動作が禁止された集積部６０の紙葉類の集積枚数が所定枚数に達した場合には、関連する情報を出力してもよい。関連する情報には、当該所定枚数そのものの情報や、ニアフル又はフルになった情報、紙葉類の抜き出しを促す情報等が含まれてもよい。このような出力を受けて、操作表示部５９、個別表示部５１ａ−５１ｈ、外部表示部５４０等においては、集積部６０に集積された紙葉類の集積枚数、ニアフル又はフルになった情報、紙葉類の抜き出しを促す情報等が表示されてもよい。また、音や光で、上記関連する情報を報知する報知部９０（図１０参照）が設けられてもよい。この場合には、所定枚数、ニアフル又はフルになった情報、紙葉類の抜き出しを促す情報が音声で報知されたり、状況毎に異なる色によって、ニアフル又はフルになった情報、紙葉類の抜き出しを促す情報等が報知されたりしてもよい。
【００５７】
また、押出設定は、集積部６０の位置、より具体的には紙葉類が搬送される順序に基づいて決定される位置や水平方向における集積部６０の位置に基づいて設定されてもよい。一例としては、紙葉類が最初に搬送される上流側の集積部６０（図２の左側に位置する集積部）に設けられた押出部８３による押出動作が禁止され、紙葉類が最後に搬送される下流側の集積部６０（図２の右側に位置する集積部）に設けられた押出部８３による押出動作が許可されてもよい。上流側の集積部６０には最も上流側の集積部６０が含まれるが、その個数は適宜変更することができてもよい。例えば、上流側から２つの集積部６０ａ，６０ｂに設けられた押出部８３による押出動作が禁止されてもよい。また、下流側の集積部６０には最も下流側の集積部６０が含まれるが、やはり、その個数は適宜変更することができてもよい。例えば、下流側から２つの集積部６０ｇ，６０ｈに設けられた押出部８３による押出動作が許可されてもよい。また、上流側の半分の集積部６０ａ−６０ｄに設けられた押出部８３については押出動作が禁止され、他方、下流側の残りの半分の集積部６０ｅ−６０ｈに設けられた押出部８３については押出動作が許可されてもよい。また、集積部６０が略三等分されて、上流側の集積部６０ａ−６０ｃに設けられた押出部８３については押出動作が禁止され、真ん中の集積部６０ｄ−６０ｆに設けられた押出部８３については押し出しが許可されるが、小さな押出量（例えば１０ｍｍ）が設定され、下流側の集積部６０ｇ，６０ｈに設けられた押出部８３については押し出しが許可され、大きな押出量（例えば２０ｍｍ）が設定されてもよい。また、操作者の作業位置に近い位置にある集積部６０の押出動作を禁止し、遠い位置にある集積部６０の押出動作を許可してもよい。ちなみに、操作者は、受入部１１に紙葉類を載置することで作業を開始するので、受入部１１の近辺が作業位置となることが多い。そのため、受入部１１に近い位置にある集積部６０の押出動作を禁止し、遠い位置にある集積部６０の押出動作を許可してもよい。
【００５８】
より具体的な例を用いて説明すると、図６（ａ）で示す態様では、集積部６０ａ−６０ｄでは押出動作が禁止されており、集積部６０ｅ−６０ｈでは押出動作が許可されている。そして、集積部６０ｅ，６０ｆでは押出部材８４の押出量が１０ｍｍとなっており、集積部６０ｇでは押出部材８４の押出量が２０ｍｍとなっており、集積部６０ｈでは押出部材８４の押出量が３０ｍｍとなっている。なお、図６（ｂ）では、金種に対応して記憶された押出設定が示されている。
【００５９】
ちなみに、複数の集積部６０を含むユニットによって集積部ユニットが構成され、当該集積部ユニットを増加させたり削減させたりすることができるようになっていてもよい。図１に示す態様では、第一集積部ユニット１１０及び第二集積部ユニット１２０が含まれているが、図９に示す態様では、第一集積部ユニット１１０及び第二集積部ユニット１２０の他に、第三集積部ユニット１３０及び第四集積部ユニット１４０が含まれている。本実施の形態の紙葉類処理装置１００では、第一集積部ユニット１１０に対して、第ｎ集積部ユニット（「ｎ」は２以上の整数）を自由に増設することができるようになっていてもよい。そして、このように第ｎ集積部ユニットを増設するときに、集積部６０の水平方向における位置に基づいて、押出設定が手動又は自動で設定されてもよい。
【００６０】
また、集積部が垂直方向に並べて配置される場合は、集積部の垂直方向における位置に基づいて、押出設定が設定されてもよく、集積部が前後方向に並べて配置される場合も、集積部の前後方向における位置に基づいて、押出設定が設定されてもよい。
【００６１】
また、押出設定は、予め登録された複数のパターンから選択されることで設定されてもよい。具体的な例を用いて説明すると、図７で示す態様では、パターン１として、全ての集積部６０ａ−６０ｈでの押出動作が許可されており、全ての集積部６０ａ−６０ｈにおける押出量が２０ｍｍとなっている。パターン２として、全ての集積部６０ａ−６０ｈでの押出動作が禁止されている。パターン３として、集積部６０ａ−６０ｄでの押出動作が禁止されているが、集積部６０ｅ−６０ｈでの押出動作が許可されており、当該集積部６０ｅ−６０ｈにおける押出量が２０ｍｍとなっている。パターン４として、集積部６０ａ−６０ｄでの押出動作が禁止されているが、集積部６０ｅ−６０ｈでの押出動作が許可されている。そして、集積部６０ｅでは押出部材８４の押出量が１０ｍｍとなっており、集積部６０ｆでは押出部材８４の押出量が２０ｍｍとなっており、集積部６０ｇでは押出部材８４の押出量が３０ｍｍとなっており、集積部６０ｈでは押出部材８４の押出量が４０ｍｍとなっている。そして、例えば操作表示部５９で表示されたパターン１乃至４の中から、自己の希望するパターンを操作者が操作表示部５９や外部操作部５３０から選択すればよい。
【００６２】
また、同じ内容の押出設定が、少なくとも２つ以上の集積部６０に対して一括して設定されてもよい。一例を挙げるとすると、ある集積部６０に対して一括して押出動作が禁止されるものとして押出設定が設定され、残りの集積部６０に対して一括して押出動作が許可されるものとして押出設定が設定される。また、同じ押出量の集積部６０に対しては一括して当該押出量が設定される。図８（ａ）−（ｄ）に示す態様を例に取って説明すると、操作表示部５９、ボタン式操作部５８又は外部操作部５３０から集積部６０ａ−６０ｄが選択され、その後で、押出動作を禁止する旨が入力される（図８（ａ）参照）。また、同様に、操作表示部５９、ボタン式操作部５８又は外部操作部５３０から集積部６０ｅ−６０ｈが選択され、その後で、押出動作を許可する旨が入力される（図８（ａ）参照）。そして、押出動作が禁止された集積部６０ａ−６０ｄに関しては押出量が０ｍｍであることが自動で設定され（図８（ｂ）参照）、押出動作が許可された集積部６０ｅ−６０ｈに関しては操作表示部５９、ボタン式操作部５８又は外部操作部５３０から押出量が設定されることになる。押出量が設定される際には、同じ押出量が設定される集積部６０ｅ，６０ｆが選択された後で、その押出量である１０ｍｍが入力される（図８（ｃ）参照）。また、異なる押出量が設定される集積部６０ｇ，６０ｈに対しては、集積部６０ｇに対してはその押出量である２０ｍｍが入力され（図８（ｄ）参照）、集積部６０ｈに対してはその押出量である３０ｍｍが入力される（図８（ｄ）参照）。
【００６３】
また、装置制御部５０は、押出部８３が押し出し途中に集積部６０内の紙葉類がなくなったことを残留検知センサ３６が検知した場合に、押出部８３の押し出し動作を中断してもよい。このように押出部８３の押し出し動作が中断されると、当該押出部８３は元の退避位置に戻る。この態様を採用した場合には、残留検知センサ３６は、集積部６０の奥行き方向（前後方向）の略中心位置又は略中心位置よりも前方側に設けられていてもよい。そして、残留検知センサ３６は押出部８３の押出部材８４によって紙葉類が押されている間も、紙葉類が集積部６０内に有るか否かを検知するようになっている。そして、操作者が押し出し途中の紙葉類を取り出す等して、集積部６０内の紙葉類がなくなったことを残留検知センサ３６が検知した場合には、それ以上の押出動作が中断され、押出部材８４は退避位置に戻ることになる。
【００６４】
《方法》
次に、本実施の形態の紙葉類処理装置１００を用いた紙葉類処理方法について説明する。
【００６５】
まず、受入部１１に処理の対象となる紙葉類が載置される（図１及び図２参照）。次に、受入部１１に載置された紙葉類が筐体１内に取込部１０によって取り込まれる。このように取込部１０によって取り込まれた紙葉類は搬送部７０で搬送され、識別部５５で識別計数された後で、集積されるべき集積部６０へと搬送される。なお、識別部５５で正常に識別されなかった紙葉類はリジェクト紙葉類として例えばリジェクト部６５ａ，６５ｂへと搬送される。
【００６６】
識別部５５で紙葉類が識別される際には、紙葉類の分類用種別の内容、すなわち、通貨の種類、紙幣の金種、紙幣の刷種、紙葉類の正損、紙葉類の表裏及び紙葉類の方向のいずれか１つ以上の内容が識別される。そして、この分類用種別の内容に基づいて、対応する集積部６０へ紙葉類が搬送されることとなる。
【００６７】
そして、予め定まった枚数の紙葉類が集積部６０に集積されたり、受入部１１に載置された紙葉類の全てが集積部６０及び／又はリジェクト部６５に振り分けられたり、操作表示部５９やボタン式操作部５８からの入力を受けたりすると、押し出しが許可されている押出部８３の押出部材８４によって集積部６０に集積された紙葉類が押し出される。また、押出部８３の押出部材８４による押出量は、上述したように、紙葉類の種類や集積部６０の位置等に基づいて設定される。押出設定を設定する態様や押出部材８４の動き等を含む「構成」で述べた全ての内容を、「紙葉類処理方法」にも適用することができるが、重複する記載となるので本願では省略する。
【００６８】
《効果》
次に、上述した構成からなる本実施の形態によって達成される効果であって、まだ述べていない効果又はとりわけ重要な効果について説明する。
【００６９】
本実施の形態によれば、少なくとも２つ以上の集積部６０の各々（又は押出部８３の各々）に対して設定された押出設定に基づいて、押出部８３が制御される。このため、適切な押出設定を採用することができ、例えば音の発生やエネルギーロスを抑えることができる。
【００７０】
この点について説明する。従来では、予め設定された集積枚数の紙葉類が集積部６０に送られた場合や、全ての紙葉類の処理が終了した場合等、集積部６０から紙葉類を取り出す必要が生じた場合には、常に押出部８３の押出部材８４を一定の押出量で動作させていた。しかしながら、例えば同一金種の紙幣が大半を占める場合や、予め設定された集積枚数が少ない場合には、比較的短い時間で紙葉類を取り出す必要が生じることから、押出部８３を頻繁に動作させることになる。他方、このように比較的短い時間で紙葉類を取り出す場合には、操作者が当該紙葉類の集積された集積部６０の近くにいることが多く、押出部材８４によって紙葉類を押し出す必要性がそれほど高くない。また、押出部８３が動作を開始してから終了するまでに所定の時間を要するため、押出部８３が頻繁に動作すると、作業効率を低下させることがある。また、このように押出部材８４によって紙葉類を押し出す場合には、音が出たり電気等のエネルギーが消費されたりする。
【００７１】
この点、本実施の形態によれば、上述したように少なくとも２つ以上の集積部６０の各々に対して設定された押出設定に基づいて、押出部８３が制御される。このため、例えば押出部材８４の押し出しが必要ない場合や押出量が少なくて済む場合には、押出部８３による押し出しを行わないように押出設定を行ったり、押出量を少なくするようにして押出設定を行ったりすることができる。したがって、必要性の低い押出部８３による紙葉類の押し出しや、押出量を抑えたりすることができ、例えば、作業効率の低下を抑えたり、音の発生やエネルギーロスを抑えることができる。
【００７２】
押出設定が押出部８３による押出動作を許可又は禁止する設定を含む場合には、必要性の低い押出部８３の押出部材８４の押し出し動作を禁止することで、押出部材８４を押し出す際に発生する音やエネルギーを節約することができる。他方、必要性の高い押出部８３の押出部材８４に関して押し出し動作を許可することで、紙葉類を集積部６０から取り出しやすくすることができる。
【００７３】
なお、ある金種に関しては集積する集積部６０が一つしかない場合があり、このような場合には、押出部８３の押出部材８４によって紙葉類を押し出している間は、新たな紙葉類を当該集積部６０に集積できないこともある。この点、本実施の形態のように押出部８３の押出部材８４による紙葉類の押し出しを禁止することで、紙葉類の処理が停止してしまうことを防止することができる。
【００７４】
また、押出設定が押出部８３の押出量に関する設定を含む場合には、あまり押し出す必要がないときにおける紙葉類の押出量を抑えることができ、ひいては、押出部材８４の動作時間を短くしたり、押出部材８４を押し出す際に発生する音やエネルギーを節約したりすることができる。他方、大きく押し出す必要があるときには、紙葉類を大きく押し出すことができる。このように、必要に応じた運用を採用することができる。
【００７５】
また、押出量を大きくし、集積部６０に集積された紙葉類を集積部６０の外部まで押し出すような値を押出量として設定してもよい。この場合には、押し出された紙葉類に重なることなく、後から搬送されてくる紙葉類を対象となった集積部６０に集積させることができる。
【００７６】
押出設定は、集積部６０に集積される紙葉類の種類に基づいて設定されてもよい。この場合には、紙葉類の種類に基づいて、押し出しの許可又は禁止を設定することになる。また、押し出しを許可する場合には、紙葉類を押し出す際の押出量を紙葉類の種類に基づいて設定することができる。このため、流通量が多い紙葉類であるか否か等によって押し出しを許可するか否かを設定することができ、また、押し出しを許可する場合には、その押出量を設定することができる。
【００７７】
また、押出設定は、集積部６０に集積される紙葉類として設定された紙葉類の種類に基づいて設定されてもよい。この場合にも、集積部６０に集積される紙葉類の種類に基づいて押出設定が設定された場合と同様の効果を奏することができる。すなわち、紙葉類の種類に基づいて、押し出しの許可又は禁止を設定することができる。また、押し出しを許可する場合には、紙葉類を押し出す際の押出量を設定することができる。このため、流通量が多いか否か等によって押し出しを許可するか否かを設定することができ、また、押し出しを許可する場合には、その押出量を設定することができる。
【００７８】
押出設定は、集積部６０の位置（紙葉類が搬送される順序に基づいた位置、水平方向における集積部６０の位置、垂直方向における集積部６０の位置及び／又は前後方向における集積部６０の位置）に基づいて設定されてもよい。例えば同一金種の紙幣が大半を占める場合や、予め設定された集積枚数が少ない場合には、比較的短い時間で紙葉類を取り出す必要が生じる。そして、このように比較的短い時間で取り出す必要が生じる紙葉類を集積する集積部６０は、受入部１１の位置等からして上流側に設定することが多い。他方、流通量の少ない紙幣や予め設定された集積枚数が多い場合には、紙葉類を取り出す必要が生じるまでに比較的長い時間がかかる。そして、このように取り出す必要が生じるまでに比較的長い時間がかかる紙葉類を集積する集積部６０を下流側に設定することが多い。このため、例えば、上流位置に位置する集積部６０に関しては、押出部８３による押出動作を禁止するように設定し、下流位置に位置する集積部６０に関しては、押出部８３による押出動作を許可するように設定してもよい。
【００７９】
また、押出動作を許可するとして、集積部６０の位置に応じて押出量の大小を変えてもよい。一例としては、押出動作が許可された集積部６０のうち比較的下流側の集積部６０においては相対的に大きな押出量を設定し、押出動作が許可された集積部６０のうち比較的上流側の集積部６０においては相対的に小さな押出量を設定するようにしてもよい（図６（ａ）参照）。このように押出量を変えることで、どの集積部６０から紙葉類が押し出されたかを操作者がより容易に把握することができる。
【００８０】
場合によっては、所定の集積部６０（例えば押出動作が許可された集積部６０のうち比較的下流側に位置する集積部６０）では、完全に紙葉類を集積部６０の外方まで押し出すよう、押出量が設定されてもよい。この場合には、後から集積される紙葉類が重なることがない態様で、当該集積部６０内に紙葉類を集積させることができる。また、このように完全に紙葉類を集積部６０の外方まで押し出すことで、紙葉類が集積部６０内で積み重ならないことから、当該集積部６０における紙葉類の集積処理が停止されることもない。なお、このように紙葉類を集積部６０の外方まで完全に押し出す態様では、集積部６０の前方に紙葉類を収容するための収容箱や、前方に押し出された紙葉類を搬送するためのベルトコンベア等の外部搬送部（図示せず）が設けられてもよい。
【００８１】
また、所定の集積部６０（例えば押出動作が許可された集積部６０のうち比較的下流側に位置する集積部６０）では、上述したように完全に紙葉類を集積部６０の外方まで押し出さなくても、紙葉類の前方側の端部が筐体１からある程度はみ出るよう、押出量が設定されてもよい。
【００８２】
押出設定が予め登録された複数のパターンから選択される態様を採用した場合には（図７参照）、予め設定されたパターンを利用して押出設定を選択することができる。このため、操作者は特段迷うことなく、適切な押出設定を選択することができる。なお、このようなパターンは適宜入力して記憶させることができるようになっていてもよい。このような態様によれば、操作者は自己の都合のよいパターンを記憶させて、当該パターンを後々利用することができるようになる。また、一度利用されたパターンは自動で装置記憶部５６に記憶されるようになってもよい。また、外部装置５００を通じて他の紙葉類処理装置１００で利用されたパターンを読み出して装置記憶部５６で記憶するようにしてもよいし、外部装置５００に記憶された他の紙葉類処理装置１００で利用されたパターンを読み出して利用できるようにしてもよい。
【００８３】
また、過去に設定された、紙葉類の種類に対する押し出しの許否及び押出量の履歴から、自動で、押し出しの許否及び押出量が設定されるようになってもよい。この態様を採用した場合には、集積部６０に集積される紙葉類の種類又は集積部６０に集積される紙葉類として設定された紙葉類の種類（分類用種別）が決定されると、当該紙葉類の種類に対して過去に設定された押し出しの許否及び押出量と同じ条件、すなわち押し出しの許否及び押出量が自動で設定されてもよい。このような態様によれば、操作者は特段迷うことなく、適切な押出設定を選択することができる。ちなみに、例えば現金センターのような複数の顧客から紙葉類が持ち込まれる場所で紙葉類処理装置１００が用いられるような場合には、紙葉類を持ち込んだ顧客のＩＤ等の識別情報に基づいて履歴が読み出され、当該履歴に基づいて紙葉類の種類に対する押し出しの許否及び押出量が設定されてもよい。また、顧客ＩＤや、紙葉類の種類別の枚数等の取引情報を予め取得できる場合は、この取引情報に基づいて押し出しの許否及び押出量が設定されてもよい。
【００８４】
また、同じ内容の押出設定が、少なくとも２つ以上の集積部６０に対して一括して設定される態様を採用した場合には（図８（ａ）−（ｄ）参照）、押出設定を設定する際の手間を減らすことができる点で有益である。
【００８５】
また、押出部８３が押し出し途中に集積部６０内の紙葉類がなくなったことを残留検知センサ３６が検知したときに、押出部８３の押し出し動作が中断される態様を採用した場合には、紙葉類が取り出された状態で押出部材８４が押し出されることを防止することができる。このため、無駄にエネルギーが消費されたり、無駄な押出部材８４の動きによって騒音が発生したりすることを防止することができる。
【００８６】
また、装置制御部５０が、押出動作が禁止された集積部６０の紙葉類の集積枚数が所定枚数に達したときに、関連する情報を出力する態様を採用した場合には、押出動作が禁止されている集積部６０に関しても、所定枚数の紙葉類が集積されたことを操作者に認識させることができる点で有益である。
【００８７】
第２の実施の形態
次に、本発明の第２の実施の形態について説明する。
【００８８】
第１の実施の形態では、外部に開放した受入部１１を設けた態様であったが、第２の実施の形態では、外部に開放した受入部１１の代わりに紙葉類を収納したカセット２００を用いた態様となっている。なお、このカセット２００は、例えば金融機関のＡＴＭ等の内部に設置されている。そして、カセット２００がＡＴＭ等から取り出されて紙葉類処理装置１００に取り付けられることで、カセット２００内の紙葉類が筐体１内に繰り出されることになる。
【００８９】
また、本実施の形態では、カセット２００に集積された紙葉類の識別情報、より具体的には全ての紙幣の記番号が、カセット２００に集積された順番に関する情報とともに、装填紙葉類リストとして外部記憶部５６０又は装置記憶部５６に記憶されている。そして、カセット２００が例えば金融機関のＡＴＭ等に設置され、カセット２００内の紙葉類が出金のみに利用される。そして、当該金融機関のＡＴＭからカセット２００が回収されて、紙葉類処理装置１００に取り付けられて、カセット２００内から紙葉類が例えば上方側から順に繰り出されることになる。上述したように、金融機関のＡＴＭ等に設置される前に、カセット２００に集積された全ての紙葉類の装填紙葉類リストが外部記憶部５６０又は装置記憶部５６に記憶されている。カセット２００から繰り出された最初の紙葉類の識別情報と装填紙葉類リストから、その紙葉類が何番目に集積されていた紙葉類であるかを把握することができる。言い換えれば、回収されたカセット２００に、何枚の紙葉類が集積されているかを装置制御部５０が把握することができる。このため、装置制御部５０は、残したい枚数の紙葉類をカセット２００内に残置させ、残りの紙葉類（端数紙葉類）のみをカセット２００から繰り出して識別部５５で識別計数するように制御する。なお、このように端数紙葉類をカセット２００から繰り出した後で、当該カセット２００に（例えば当該カセット２００の収納可能枚数まで）紙葉類を詰めてもよい。
【００９０】
なお、複数の端数紙葉類を識別部５５で識別計数することで、仮に何らしかの理由でカセット２００内の紙葉類の集積順番が入れ替わってしまっていた場合でも、カセット２００内に残っている紙葉類の枚数をより確実に確定することができる。
【００９１】
ちなみに、金融機関のＡＴＭ等に設置されたカセット２００に紙葉類の入金がある態様を採用した場合には、外部記憶部５６０又は装置記憶部５６で記憶されている装填紙葉類リストに含まれる紙葉類が識別されるまでカセット２００から紙葉類を筐体１内に繰り出して、識別部５５で識別計数し、装填紙葉類リストに含まれる識別情報の紙葉類が識別されたときに、当該紙葉類の識別情報と装填紙葉類リストに基づいて、カセット２００に集積されている紙葉類の枚数を装置制御部５０は把握するようにしてもよい。
【００９２】
第２の実施の形態において、その他の構成は、第１の実施の形態と略同一の態様となっている。第２の実施の形態において、第１の実施の形態と同一部分には同一符号を付して詳細な説明は省略する。
【００９３】
具体的な例を用いると、現金センターで、カセット２００に２０００枚の紙幣を装填する。このとき、装填した全ての紙幣の記番号を、カセット２００に集積された順番を示す情報とともに、装填紙幣リスト（装填紙葉類リスト）として、外部記憶部５６０又は装置記憶部５６に記憶しておく。当該カセット２００を現金センターから金融機関まで搬送する。搬送されたカセット２００は金融機関のＡＴＭに設置され、カセット２００内の紙幣が出金のみに利用される。そして、例えば金融機関の営業終了後に当該金融機関のＡＴＭからカセット２００が回収されて、現金センターまで搬送され、現金センター内に設置された紙葉類処理装置１００に取り付けられる。この際、カセット２００内から一枚目の紙幣が繰り出され、この紙幣の記番号（図１２では「Ｆ０９５１１１２４８」）が識別部５０で識別される。この「Ｆ０９５１１１２４８」と、外部記憶部５６０又は装置記憶部５６に記憶されていた装填紙幣リストから、この紙幣が、例えば１１８４番目にカセットに装填された紙幣であることを装置制御部５０が把握する。これにより、カセット２００内には１１８４枚の紙幣が集積されていることを装置制御部５０が把握する。仮に１０００枚の紙幣をカセット２００に残置させたい場合には、１８４枚の紙幣（端数紙幣）がカセット２００から繰り出されて識別計数される。この１８４枚の紙幣に関しては、当該紙幣の記番号や集積順が、外部記憶部５６０又は装置記憶部５６に記憶されている紙幣装填リストと合致しているか逐一確認されてもよい。そして、仮に識別部５０で識別された紙幣の記番号が紙幣装填リストにない場合や、装填リストにはあるが、前後の紙幣の記番号との順番が異なる場合には、その旨が、操作表示部５９、外部表示部５４０、報知部９０等で操作者に示されてもよい。なお、１８４枚の紙幣をカセット２００から繰り出した後で、当該カセット２００に１０００枚の紙葉類を改めて詰め直し、合計２０００枚の紙幣をカセット２００に装填してもよい。
【００９４】
このように、本実施の形態によれば、カセット２００内の全ての紙葉類を取り出し、所定枚数の紙幣を装填し直す必要がなく、回収したカセット２００内の紙幣の一部を残したまま、カセット２００に所定枚数の紙幣を装填する。このため、カセット２００に紙幣を装填する作業時間を短くすることができ、作業効率を上げることができる。
【００９５】
なお、上記では、第２の実施の形態は、（一部を除き）第１の実施の形態と略同一の態様となっている旨説明したが、これに限られることはない。第２の実施の形態は、第２の実施の形態の欄で説明した内容のみを備えていればよく、第１の実施の形態とは完全に切り離され、第１の実施の形態のように、少なくとも２つ以上の各集積部６０の各々に対して設定された押出設定に基づいて押出部８３を制御するようになっていなくてもよい。
【００９６】
ところで、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【００９７】
このため、第１の実施の形態や第２の実施の形態で装置制御部５０が行う旨説明した制御内容を外部制御部５５０が行ってもよく、その逆であってもよい。また、装置記憶部５６が記憶している旨説明したものを外部記憶部５６０が記憶してもよく、その逆であってもよい。また、操作表示部５９又はボタン式操作部５８が行う旨説明した操作内容を外部操作部５３０が行ってもよく、その逆であってもよい。また、操作表示部５９が表示する旨説明した内容を外部表示５４０が表示してもよく、その逆であってもよい。
【符号の説明】
【００９８】
１１        受入部
５０        装置制御部
５６        装置記憶部
５８        ボタン式操作部
５９        操作表示部
６０        集積部
７０        搬送部
８３        押出部
９０        報知部
１００      紙葉類処理装置
５００      外部装置
５３０      外部操作部
５４０      外部表示部
５５０      外部制御部
５６０      外部記憶部
【図１】
2018020853.tif 000003
【図２】
2018020853.tif 000004
【図３】
2018020853.tif 000005
【図４】
2018020853.tif 000006
【図５】
2018020853.tif 000007
【図６】
2018020853.tif 000008
【図７】
2018020853.tif 000009
【図８】
2018020853.tif 000010
【図９】
2018020853.tif 000011
【図１０】
2018020853.tif 000012
【図１１】
2018020853.tif 000013
【図１２】
2018020853.tif 000014